【事件の表示】
　平成　７年特許願第２８６９３１号「結合制御システム、プロセス処理システムおよびその方法」拒絶査定不服審判事件〔平成　９年　５月１６日出願公開、特開平　９−１２８２５０、請求項の数（１２）〕について、次のとおり審決する。
【結　論】
　原査定を取り消す。
　本願の発明は、特許すべきものとする。
【理　由】
１．手続の経緯、本件発明
　本願は、平成７年１１月６日の出願であって、その特許請求の範囲の請求項１乃至４，５乃至８及び９乃至１２に係る発明は、平成１２年１月２１日付けの手続補正書により補正された明細書及び図面の記載から見て、特許請求の範囲の請求項１乃至４，５乃至８及び９乃至１２に記載された次の事項により特定されるものである。
「【請求項１】
　１または複数の処理プロセス手段を、共有記憶手段および伝送処理手段を介して、オブジェクトに結合するための結合制御システムであって、
　結合制御システムの外部にある各オブジェクトに対応する記憶領域を有するオブジェクト対応記憶部、
　結合制御システムの外部にあるオブジェクトから取得したオブジェクトの状態を示すデータを自ら取り込んで、オブジェクト対応記憶部の対応する記憶領域に書き込むための書込処理を所定時間ごとに行い、オブジェクト対応記憶部の記憶領域から読み出したデータを、対応するオブジェクトに与えるための読出処理を所定時間ごとに行う伝送・記憶制御手段、
　を備え、
　処理プロセス手段は、オブジェクト対応記憶部の記憶領域にアクセスすることにより、間接的に、各記憶領域に対応するオブジェクトに対する処理を行う結合制御システムであって、
　オブジェクトからは、現在の状態を表すデータを伝送・記憶制御手段を介して前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込む伝送・記憶制御手段
　を備えていることを特徴とする結合制御システム。
　
【請求項２】
　請求項１の結合制御システムにおいて、
　前記オブジェクト対応記憶部は、第１メモリ、第２メモリを備えており、
　伝送・記憶制御手段からの書き込み、および処理プロセス手段への読み出しは、第１メモリから行うようにし、
　処理プロセス手段からの書き込み、および伝送・記憶制御手段への読み出しは、第２メモリから行うようにし、
　伝送・記憶制御手段は、前記読出処理において、第２メモリの記憶領域から読み出したデータを対応するオブジェクトに与えるとともに、前記書込処理において、オブジェクトの状態を表すデータを得て、対応する第１メモリの記憶領域に書き込むようにしたことを特徴とするもの。
　
【請求項３】
　請求項２の結合制御システムにおいて、
　伝送・記憶制御手段は、前記読出処理において、第２メモリの記憶領域の記憶内容が前回から変化している場合にのみ、当該記憶領域からの読み出しを行って対応するオブジェクトに与えるものであることを特徴とするもの。
　
【請求項４】
　請求項３の結合制御システムにおいて、
　前記オブジェクト対応記憶部には、さらにフラグテーブルが設けられており、
　処理プロセス手段は、第２メモリの記憶領域に書込を行う際に、当該記憶領域に対応するフラグテーブルのフラグを「変化有り」とし、
　伝送・記憶制御手段は、前記読み出し処理において、フラグテーブルを検索することにより、記憶内容の変化を知って、当該記憶領域からの読み出しを行うようにするとともに、該読み出し時に、当該フラグを「変化なし」に変更するようにしたことを特徴とするもの。
　
【請求項５】
　処理プロセス手段が、共有記憶手段および伝送処理手段を介して、オブジェクトに結合されるプロセス処理システムであって、
　結合制御システムの外部にある各オブジェクトに対応する記憶領域を有するオブジェクト対応記憶部と、伝送処理手段および処理プロセス手段からの、書き込み要求および読み出し要求に応じて、前記オブジェクト対応記憶部への書き込みおよび読み出しを制御する記憶制御部とを有する共有記憶手段、
　共有記憶手段に対し、当該処理状況に応じて書き込み要求および読み出し要求を与えるような、１または複数の処理プロセス手段、
　共有記憶手段および各オブジェクトにアクセス可能な伝送処理手段であって、結合制御システムの外部にあるオブジェクトから取得したオブジェクトの状態を示すデータを自ら取り込んで、共有記憶手段のオブジェクト対応記憶部の対応する記憶領域に書き込むため、共有記憶手段に対し書き込み要求を所定間隔で与えるとともに、共有記憶手段に対し読み出し要求を所定間隔で与え、オブジェクト対応記憶部の記憶領域から読み出したデータを、対応するオブジェクトに与えるよう構成された伝送処理手段、
　を備えたプロセス処理システムであって、
　オブジェクトからは、現在の状態を表すデータを伝送制御手段を介して前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込む伝送制御手段
　を備えていることを特徴とするもの。
　
【請求項６】
　請求項５のプロセス処理システムにおいて、
　前記オブジェクト対応記憶部は、第１メモリ、第２メモリを備えており、
　伝送制御手段からの書き込み、および処理プロセス手段への読み出しは、第１メモリから行うようにし、
　処理プロセス手段からの書き込み、および伝送制御手段への読み出しは、第２メモリから行うようにし、
　伝送制御部は、第２メモリの記憶領域から読み出したデータを対応するオブジェクトに与えるために、記憶制御部に読み出し要求を与えるとともに、オブジェクトの状態を表すデータを得て、対応する第１メモリの記憶領域に書き込むために、記憶制御部に書き込み要求を与えるようにしたことを特徴とするもの。
　
【請求項７】
　請求項６のプロセス処理システムにおいて、
　記憶制御部は、伝送制御手段から読み出し要求を受けると、第２メモリの記憶領域の記憶内容が前回から変化している場合にのみ、当該記憶領域からの読み出しを行って伝送制御部に与えるものであることを特徴とするもの。
　
【請求項８】
　請求項７のプロセス処理システムにおいて、
　前記オブジェクト対応記憶部には、さらにフラグテーブルが設けられており、
　記憶制御部は、処理プロセス手段からの書き込み要求を受けて、第２メモリの記憶領域に書込を行う際に、当該記憶領域に対応するフラグテーブルのフラグを「変化有り」とし、
　伝送制御手段からの読み出し要求を受けた場合に、フラグテーブルを検索することにより、記憶内容の変化を知って、当該記憶領域からの読み出しを行うようにするとともに、該読み出し時に、当該フラグを「変化なし」に変更するようにしたことを特徴とするもの。
　
【請求項９】
　１または複数の処理プロセス手段からアクセス可能なメモリ部を設け、当該メモリ部には結合制御システムの外部にある各オブジェクトに対応する記憶領域を設けておき、
　結合制御システムの外部にあるオブジェクトから取得したオブジェクトの状態を示すデータを取り込んで、メモリ部の対応する記憶領域に書き込むための書込処理を所定時間ごとに行うとともに、メモリ部の記憶領域から読み出したデータを、対応するオブジェクトに与えるための読出処理を所定時間ごとに行い、
　処理プロセス手段は、メモリ部の記憶領域にアクセスすることにより、間接的に、各記憶領域に対応するオブジェクトに対する処理を行うようにしたことを特徴とするプロセス処理方法であって、
　オブジェクトからは、現在の状態を表すデータを前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込むことを特徴とするプロセス処理方法。
　
【請求項１０】
　請求項９のプロセス処理方法において、
　前記オブジェクト対応記憶部は、第１メモリ、第２メモリを備えており、
　オブジェクト側からの書き込み、および処理プロセス手段への読み出しは、第１メモリから行うようにし、
　処理プロセス手段からの書き込み、およびオブジェクト側への読み出しは、第２メモリから行うようにし、
　前記読出処理において、第２メモリの記憶領域から読み出したデータを対応するオブジェクトに与えるとともに、前記書込処理において、オブジェクトの状態を表すデータを得て、対応する第１メモリの記憶領域に書き込むようにしたことを特徴とするもの。
　
【請求項１１】
　請求項１０のプロセス処理方法において、
　前記読出処理において、第２メモリの記憶領域の記憶内容が前回から変化している場合にのみ、当該記憶領域からの読み出しを行って対応するオブジェクトに与えるものであることを特徴とするもの。
　
【請求項１２】
　請求項１１のプロセス処理方法において、
　前記オブジェクト対応記憶部には、さらにフラグテーブルが設けられており、
　第２メモリの記憶領域に書込を行う際に、当該記憶領域に対応するフラグテーブルのフラグを「変化有り」とし、
　前記読み出し処理において、フラグテーブルを検索することにより、記憶内容の変化を知って、当該記憶領域からの読み出しを行うようにするとともに、該読み出し時に、当該フラグを「変化なし」に変更するようにしたことを特徴とするもの。」
　
　
２．原査定の理由
　これに対して、原査定の拒絶理由の概要は、本願発明は、本願出願前に頒布された、特開平７−１３７７９号公報（以下、「引用例１」という。）、特開平７−２１９７８６号公報（以下、「引用例２」という。）に記載された発明及び周知技術（特開昭６２−２７６６０４号公報（以下、「引用例３」という。）、特開平２−７２４１１号公報（以下、「引用例４」という。））に基いて、当業者が容易に発明することができたものであるから、特許法第２９条第２項の規定により特許を受けることができない、というものである。
　
３．当審の判断
　請求項１乃至４、５乃至８及び９乃至１２に係る発明における以下の各構成
「処理プロセス手段は、オブジェクト対応記憶部の記憶領域にアクセスすることにより、間接的に、各記憶領域に対応するオブジェクトに対する処理を行う結合制御システムであって、
　オブジェクトからは、現在の状態を表すデータを伝送・記憶制御手段を介して前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込む伝送・記憶制御手段」
「オブジェクトからは、現在の状態を表すデータを伝送制御手段を介して前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込む伝送制御手段」
「オブジェクトからは、現在の状態を表すデータを前記オブジェクト対応記憶部の対応する記憶領域に与えることができないような書込のみを受け付ける書込オブジェクトを前記オブジェクトの中に少なくとも１つ含んでおり、
　前記オブジェクト対応記憶部のデータを書込オブジェクトに与えると同時に、当該書込オブジェクトの状態を示す前記オブジェクト対応記憶部のデータを前記オブジェクト対応記憶部の当該書込オブジェクトに対応する記憶領域に書き込むことを特徴とする」
　
は、引用例１乃至４記載の発明には開示されておらず、示唆もされていない。
　
　よって、請求項１乃至４、５乃至８及び９乃至１２に係る発明は、引用例１乃至４に記載の発明に基づいて、当業者が容易に発明する事ができたものとすることはできない。
　
５．むすび
　以上のとおりであるから、本願発明は、特許法第２９条第２項の規定により特許を受けることが出来ないとした原査定の判断は妥当でない。
　また、他に本願発明を拒絶すべき理由を発見しない。
　よって、結論のとおり審決する。